(57)【要約】      （修正有）【課題】スピーディーに充電することができる積層式音響ランプモジュールを提供する。【解決手段】積層式音響ランプモジュールは、充電台、音響ランプ１０及び複数の移動ランプ２０を備えたものである。複数の移動ランプ２０は積層可能であり、単数又は積層した複数の移動ランプ２０は、充電台上に設置されて充電可能である。音響ランプ１０も単数又は積層した複数の移動ランプ２０を充電させることが可能である。音響ランプ１０上には、第１の接触片が設けられる。移動ランプ２０は、第２の照明装置、第２の電池及び第２のハウジングを有する。第２の照明装置及び第２の電池は、第２のハウジング上に取り付けられる。第２の照明装置は、第２の電池と接続される。第２の電池は、第２の照明装置に給電する。第２のハウジングの頂部には、第２の接触片が設けられる。第２の接触片は、第２の電池と接続される。第２のハウジングの底部には、充電に用いるポゴピンが設けられる。【選択図】図８
0003218245.tif 000002
【実用新案登録請求の範囲】
【請求項１】
充電台、音響ランプ及び複数の移動ランプを備えた積層式音響ランプモジュールであって、
前記複数の移動ランプは積層され、単数又は積層した複数の前記移動ランプは、前記充電台上に設置されて充電可能であり、前記音響ランプも単数又は積層した複数の前記移動ランプを充電させることが可能であり、
前記音響ランプ上には、接触片が設けられ、
前記移動ランプは、第２の照明装置、第２の電池及び第２のハウジングを有し、
前記第２の照明装置及び前記第２の電池は、前記第２のハウジング上に取り付けられ、
前記第２の照明装置は、前記電池と接続され、
前記第２の電池は、前記第２の照明装置に給電し、
前記ハウジングの頂部には、前記接触片が設けられ、
前記接触片は、前記第２の電池と接続され、
前記ハウジングの底部には、充電に用いるポゴピンが設けられ、
前記ポゴピンは、前記第２の電池と接続されることを特徴とする積層式音響ランプモジュール。
【請求項２】
前記音響ランプは、音声部材、第１の照明装置、第１の電池及び第１のハウジングを有し、
前記音響ランプの前記音声部材、前記第１の照明装置及び前記第１の電池は、前記第１のハウジング上に取り付けられ、
前記音響ランプの前記音声部材及び前記第１の照明装置は、前記第１の電池と接続され、
前記第１の電池は、前記音声部材及び前記第１の照明装置に給電し、
前記ハウジングの頂部には、前記接触片が設けられることを特徴とする請求項１に記載の積層式音響ランプモジュール。
【請求項３】
前記音響ランプは、充電インタフェースを有し、
外部電源は、前記充電インタフェースを介して前記音響ランプの第１の電池を充電することを特徴とする請求項１に記載の積層式音響ランプモジュール。
【考案の詳細な説明】
【技術分野】
【０００１】
本考案は、音響ランプに関するものであり、さらに詳しくは、積層式音響ランプモジュールに関するものである。
【背景技術】
【０００２】
従来から照明システムに音楽再生システムを組み合わせたものが提供され、製作されている。例えば、従来の天井直付け灯の性能は単純であり、実用性及び外観のみを重視している欠点を改善したものであるが、創造性と娯楽性を兼備えた照明ランプに融合させ、照明機能以外にユーザーがリラックスしながら音楽を楽しむことができる機能をランプに持たせることができるものであれば、ユーザーは仕事したり学習したりする際に感じるストレスを一定程度低減させることができる。
【０００３】
しかし、従来の音響ランプは、１つしか充電させることができず、多数の音響ランプを同時に充電することができなかったため、１つずつ充電するとき、充電効率が低く、スピーディーに充電することができず、ユーザーにとって不便であり、充電効率の向上が求められてきた。
【考案の概要】
【考案が解決しようとする課題】
【０００４】
従って、本考案の主な課題は、スピーディーに充電することができる音響ランプモジュールを提供することにある。
【課題を解決するための手段】
【０００５】
そこで、本考案者は、本考案の前記課題を解決するため鋭意検討を重ねた結果、後記の通り、積層構造の音響ランプモジュールを提供することにより、前記課題を解決できることに着目し、かかる知見に基いて本考案に想到するに至った。
【０００６】
かくして、本考案の要旨は次の（１）〜（３）に記載の通りのものである。
（１）充電台、音響ランプ及び複数の移動ランプを備えた積層式音響ランプモジュールであって、
前記複数の移動ランプは積層され、単数又は積層した複数の前記移動ランプは、前記充電台上に設置されて充電可能であり、前記音響ランプも単数又は積層した複数の前記移動ランプを充電させることが可能であり、
前記音響ランプ上には、接触片が設けられ、
前記移動ランプは、第２の照明装置、第２の電池及び第２のハウジングを有し、
前記第２の照明装置及び前記第２の電池は、前記第２のハウジング上に取り付けられ、
前記第２の照明装置は、前記電池と接続され、
前記第２の電池は、前記第２の照明装置に給電し、
前記ハウジングの頂部には、前記接触片が設けられ、
前記接触片は、前記第２の電池と接続され、
前記ハウジングの底部には、充電に用いるポゴピンが設けられ、
前記ポゴピンは、前記第２の電池と接続されることを特徴とする積層式音響ランプモジュール。
【０００７】
（２）前記音響ランプは、音声部材、第１の照明装置、第１の電池及び第１のハウジングを有し、
前記音響ランプの前記音声部材、前記第１の照明装置及び前記第１の電池は、前記第１のハウジング上に取り付けられ、
前記音響ランプの前記音声部材及び前記第１の照明装置は、前記第１の電池と接続され、
前記第１の電池は、前記音声部材及び前記第１の照明装置に給電し、
前記ハウジングの頂部には、前記接触片が設けられることを特徴とする前記（１）に記載の積層式音響ランプモジュール。
【０００８】
（３）前記音響ランプは、充電インタフェースを有し、
外部電源は、前記充電インタフェースを介して前記音響ランプの第１の電池を充電することを特徴とする前記（１）に記載の積層式音響ランプモジュール。
【考案の効果】
【０００９】
本考案の積層式音響ランプモジュールは、前記の通りの構成からなるものであり、複数の移動ランプは互いに積層させることが可能な構成とされている。本考案に係る積層式音響ランプモジュールによれば、充電台上又は音響ランプ上に積層されたすべての移動ランプを同時に充電させることができるので、スピーディーな充電を達成することができ顕著な効果を奏する。また、構造上も融通性を有することから実用的価値も高い。
【図面の簡単な説明】
【００１０】
【図１】図１は、本考案の一実施形態に係る積層式音響ランプモジュールの音響ランプの構造を示す説明図である。
【図２】図２は、図１の音響ランプを示す平面図である。
【図３】図３は、本考案の一実施形態に係る積層式音響ランプモジュールの移動ランプの構造を示す説明図である。
【図４】図４は、図３の移動ランプを示す平面図である。
【図５】図５は、図３の移動ランプを示す底面図である。
【図６】図６は、本考案の一実施形態に係る積層式音響ランプモジュールの充電台の構造を示す説明図である。
【図７】図７は、図６の充電台を示す平面図である。
【図８】図８は、本考案の一実施形態に係る積層式音響ランプモジュールの音響ランプが、積層した移動ランプを充電させる場合の状態を示す説明図である。
【図９】図９は、本考案の一実施形態に係る充電台が、積層した移動ランプを充電させる場合の状態を示す説明図である。
【考案を実施するための形態】
【００１１】
次に図面により、本考案について具体的に説明する。もっとも、本考案は、かかる図面等により限定されるものではない。
【００１２】
図１〜図９を参照する。図１〜図９に示すように、本考案の一実施形態に係る積層式音響ランプモジュールは、照明及び音声ファイルに用いられる。本考案の一実施形態に係る積層式音響ランプモジュールは、少なくとも充電台３０、音響ランプ１０及び複数の移動ランプ２０から構成されてなる。複数の移動ランプ２０は積層可能である。単数又は積層した複数の移動ランプ２０は、充電台３０上に設置して充電することができる。また、音響ランプ１０は、単数又は積層した複数の移動ランプ２０を充電させることもできる。
【００１３】
上述した音響ランプ１０は、音声部材１１、第１の照明装置１２、第１の電池及び第１のハウジングを含む。上述した音声部材１１、第１の照明装置１２及び第１の電池は、ハウジング上に取り付けられる。上述した音声部材１１、第１の照明装置１２は、第１の電池と接続される。上述した第１の電池は、音声部材１１及び第１の照明装置１２に給電する。上述した音響ランプ１０は、充電インタフェース（図示せず）をさらに含む。外部電源は、充電インタフェースを介して電池を充電する。上述したハウジングの頂部には、接触片１３が設けられる。上述した接触片１３は、導線を介して電池と接続される。
【００１４】
上述した移動ランプ２０は、第２の照明装置、第２の電池及び第２のハウジングを含む。上述した第２の照明装置及び第２の電池は、第２のハウジング上に取り付けられる。上述した第２の照明装置は、電池と接続される。上述した第２の電池は、第２の照明装置に給電する。上述した第２のハウジングの頂部には、接触片２１が設けられる。上述した接触片２１は、導線を介して電池と接続される。上述した第２のハウジングの底部には、充電に用いるポゴピン２２が設けられる。上述したポゴピン２２は、同様に第２の電池と接続される。
【００１５】
本考案に係る積層式音響ランプモジュールを実際に使用する際、移動ランプ２０を積層させる。互いに隣り合う２つの移動ランプの間では、一方の底部の移動ランプ２０上の接触片２１が、上方の他方の移動ランプのポゴピン２２と接触されて回路が導通される。ユーザーは、実際の必要に応じ、単数の移動ランプ又は複数の移動ランプを充電させてもよい。単数の移動ランプ又は複数の移動ランプを充電する際、移動ランプ２０を音響ランプ１０又は充電台３０上に設置し、音響ランプ１０上の接触片１３又は充電台３０が移動ランプ２０上のポゴピン２２と接触されると、外部の電源が音響ランプ１０又は充電台３０を介して移動ランプ２０を間接的に充電させることができる。
【００１６】
複数の移動ランプ２０を充電する際、まず、複数の移動ランプ２０を積層してから、積層した移動ランプ２０を音響ランプ１０又は充電台３０上に設置し、音響ランプ１０上の接触片１３又は充電台３０が移動ランプ２０上のポゴピン２２と接触されるため、外部の電源が音響ランプ１０又は充電台３０を介して複数の移動ランプを充電させることができる。
【００１７】
本考案の積層式音響ランプモジュールは、音響ランプ１０上に設置した接触片１３と、移動ランプ２０上に設置した接触片２１及びポゴピン２２と、を介し、複数の移動ランプ２０が積層される。また、音響ランプ１０又は充電台３０は、移動ランプを充電させるとともに、音響ランプ１０又は充電台３０を積層させた後、全ての移動ランプを同時に充電させてスピーディーに充電させることができる。また、装置としての構造上の融通性が高く、実用的価値も高いものである。
【符号の説明】
【００１８】
１０  音響ランプ
１１  音声部材
１２  第１の照明装置
１３  接触片
２０  移動ランプ
２１  接触片
２２  ポゴピン
３０  充電台
【図１】
0003218245.tif 000003
【図２】
0003218245.tif 000004
【図３】
0003218245.tif 000005
【図４】
0003218245.tif 000006
【図５】
0003218245.tif 000007
【図６】
0003218245.tif 000008
【図７】
0003218245.tif 000009
【図８】
0003218245.tif 000010
【図９】
0003218245.tif 000011
【手続補正書】
【提出日】平成30年7月30日(2018.7.30)
【手続補正１】
【補正対象書類名】実用新案登録請求の範囲
【補正対象項目名】全文
【補正方法】変更
【補正の内容】
【実用新案登録請求の範囲】
【請求項１】
充電台、音響ランプ及び複数の移動ランプを備えた積層式音響ランプモジュールであって、
前記複数の移動ランプは積層され、単数又は積層した前記複数の移動ランプは、前記充電台上に設置されて充電可能であり、前記音響ランプも単数又は積層した前記複数の移動ランプを充電させることが可能であり、
前記音響ランプ上には、第１の接触片が設けられ、
前記移動ランプは、第２の照明装置、第２の電池及び第２のハウジングを有し、
前記第２の照明装置及び前記第２の電池は、前記第２のハウジング上に取り付けられ、
前記第２の照明装置は、前記第２の電池と接続され、
前記第２の電池は、前記第２の照明装置に給電し、
前記第２のハウジングの頂部には、第２の接触片が設けられ、
前記第２の接触片は、前記第２の電池と接続され、
前記第２のハウジングの底部には、充電に用いるポゴピンが設けられ、
前記ポゴピンは、前記第２の電池と接続されることを特徴とする積層式音響ランプモジュール。
【請求項２】
前記音響ランプは、音声部材、第１の照明装置、第１の電池及び第１のハウジングを有し、
前記音響ランプの前記音声部材、前記第１の照明装置及び前記第１の電池は、前記第１のハウジング上に取り付けられ、
前記音響ランプの前記音声部材及び前記第１の照明装置は、前記第１の電池と接続され、
前記第１の電池は、前記音声部材及び前記第１の照明装置に給電し、
前記第１のハウジングの頂部には、前記第１の接触片が設けられることを特徴とする請求項１に記載の積層式音響ランプモジュール。
【請求項３】
前記音響ランプは、充電インタフェースを有し、
外部電源は、前記充電インタフェースを介して前記音響ランプの第１の電池を充電することを特徴とする請求項１に記載の積層式音響ランプモジュール。
【手続補正２】
【補正対象書類名】明細書
【補正対象項目名】０００６
【補正方法】変更
【補正の内容】
【０００６】
かくして、本考案の要旨は次の（１）〜（３）に記載の通りのものである。
（１）充電台、音響ランプ及び複数の移動ランプを備えた積層式音響ランプモジュールであって、
前記複数の移動ランプは積層され、単数又は積層した前記複数の移動ランプは、前記充電台上に設置されて充電可能であり、前記音響ランプも単数又は積層した前記複数の移動ランプを充電させることが可能であり、
前記音響ランプ上には第１の接触片が設けられ、
前記移動ランプは、第２の照明装置、第２の電池及び第２のハウジングを有し、
前記第２の照明装置及び前記第２の電池は、前記第２のハウジング上に取り付けられ、
前記第２の照明装置は、前記第２の電池と接続され、
前記第２の電池は、前記第２の照明装置に給電し、
前記第２のハウジングの頂部には、前記第２の接触片が設けられ、
前記接触片は、前記第２の電池と接続され、
前記第２のハウジングの底部には、充電に用いるポゴピンが設けられ、
前記ポゴピンは、前記第２の電池と接続されることを特徴とする積層式音響ランプモジュール。
【手続補正３】
【補正対象書類名】明細書
【補正対象項目名】０００７
【補正方法】変更
【補正の内容】
【０００７】
（２）前記音響ランプは、音声部材、第１の照明装置、第１の電池及び第１のハウジングを有し、
前記音響ランプの前記音声部材、前記第１の照明装置及び前記第１の電池は、前記第１のハウジング上に取り付けられ、
前記音響ランプの前記音声部材及び前記第１の照明装置は、前記第１の電池と接続され、前記第１の電池は、前記音声部材及び前記第１の照明装置に給電し、
前記第１のハウジングの頂部には、前記第１の接触片が設けられることを特徴とする前記（１）に記載の積層式音響ランプモジュール。
【手続補正４】
【補正対象書類名】明細書
【補正対象項目名】００１０
【補正方法】変更
【補正の内容】
【００１０】
【図１】図１は、本考案の一実施形態に係る積層式音響ランプモジュールの音響ランプの構造を示す説明図である。
【図２】図２は、図１の音響ランプを示す平面図である。
【図３】図３は、本考案の一実施形態に係る積層式音響ランプモジュールの移動ランプの構造を示す説明図である。
【図４】図４は、図３の移動ランプを示す平面図である。
【図５】図５は、図３の移動ランプを示す底面図である。
【図６】図６は、本考案の一実施形態に係る積層式音響ランプモジュールの充電台の構造を示す説明図である。
【図７】図７は、図６の充電台を示す平面図である。
【図８】図８は、本考案の一実施形態に係る積層式音響ランプモジュールの音響ランプが、積層した移動ランプを充電させる場合の状態を示す説明図である。
【図９】図９は、本考案の一実施形態に係る積層式音響ランプモジュールの充電台が、積層した移動ランプを充電させる場合の状態を示す説明図である。